(57)【要約】  【課題】複数の景品11を迅速かつ正確に読み取り、小形化できる景品読取装置21を提供する。  【解決手段】景品読取装置21の景品装填部23に、価値情報が関連付けられた非接触ＩＣタグを備えた複数の景品11を積層した積層状態で装填する。積層状態の複数の景品11の非接触ＩＣタグを、読取手段30で一括して読み取る。読取手段30による読取結果に基づいて、景品11の種類および個数を算出する。複数の景品11を迅速かつ正確に読み取り、小形化できる。  【選択図】図１
2006212260.tif 000002
【特許請求の範囲】
【請求項１】
価値情報が関連付けられた非接触ＩＣタグを備えた景品を読み取る景品読取装置であって、
複数の景品を積層した積層状態で複数の景品の非接触ＩＣタグを一括して読み取る読取手段と、
この読取手段による読取結果に基づいて、景品の種類および個数を算出する第１の景品情報算出手段と
を具備していることを特徴とする景品読取装置。
【請求項２】
積層状態にある複数の景品の積層方向の総厚みを測定する測定手段と、
この測定手段による測定結果に基づいて、景品の個数を算出する第２の景品情報算出手段と、
第１の景品情報算出手段による景品の個数の算出結果と第２の景品情報算出手段による景品の個数の算出結果とを比較する算出結果比較手段と、
この算出結果比較手段で比較結果が不一致である場合に、異常を報知する異常報知手段と
を具備していることを特徴とする請求項１記載の景品読取装置。
【請求項３】
異常時に、複数の景品の中から不具合景品を抽出する不具合抽出モードを有するチェック手段と、
前記不具合抽出モードで抽出された不具合景品の種類および個数を、第１の景品情報算出手段で算出された景品の種類および個数に追加させる追加手段と
ことを特徴とする請求項２記載の景品読取装置。
【請求項４】
請求項１ないし３いずれか記載の景品読取装置と、
この景品読取装置で読み取った景品の価値情報に応じた現金を出金する現金出金装置と、
前記景品読取装置および現金出金装置と通信して情報を管理する管理装置と
を具備していることを特徴とする景品交換システム。
【発明の詳細な説明】
【技術分野】
【０００１】
本発明は、景品の価値情報を読み取る景品読取装置、およびこの景品読取装置を用いた景品交換システムに関する。
【背景技術】
【０００２】
一般に、例えばパチンコ遊技で獲得した玉数により、遊技客は買上対象となる特殊景品（以下、単に景品という）と交換することができる。遊技店では、遊技客が獲得した玉数に対応する例えば、大景品、中景品、小景品などの数種類の景品を用意しており、これら数種類の景品には例えば、５０００円、２５００円、１０００円の価値情報と関連付けられたバーコードが印刷されている。遊技客は、この景品を景品交換所に持参することにより現金と交換することができる。
【０００３】
このような景品交換システムは、景品に印刷されたバーコードを読み取る景品読取装置、この景品読取装置で読み取られたバーコード情報（価値情報）に基づいて現金を払い出す現金払出機、景品読取装置と通信して買上状況や現金払出機の残金状況などの情報を管理する管理機により構成されている。
【０００４】
景品読取装置は、複数の景品が載置される繰出部を有し、この繰出部に配置された景品をモータにより駆動される押出片により１枚ずつ繰り出し、１枚ずつ繰り出した景品を搬送部によって搬送しながら、識別部で景品のバーコードを読み取り、バーコードを読み取った景品をそれぞれの価値情報の種類別に分類して種類別の景品収納部に順次収納している。そして、１回分の取引における景品の識別収納が完了すると、係員による手動操作により、または自動的に、現金払出機から現金を払い出す（例えば、特許文献１参照。）。
【特許文献１】特開平６−７９０５２号公報（第３−５頁、図１−２）
【発明の開示】
【発明が解決しようとする課題】
【０００５】
しかしながら、従来の景品読取装置では、１枚ずつ景品を繰り出して搬送しながら景品のバーコードを読み取って種類別に分類収納するため、１回分の取引における景品の分離繰出の開始から分類収納が完了するまでに時間がかかる問題がある。特に、遊技店の閉店間際には、景品交換を希望する遊技客が景品交換所に集中するので、迅速に処理できることが望まれている。
【０００６】
また、景品読取装置には、景品の繰出機構、搬送機構および分類機構などを設けているため、装置自体が大形になり、広い設置スペースを必要とする問題がある。景品交換所のスペースは狭いことが多いので、特に装置自体が大きいことは問題となる。また、繰出機構、搬送機構および分類機構などの機械的機構を用いるので、調整などに手間と時間がかかり、さらに、景品の詰まりや故障が発生する可能性もある。
【０００７】
本発明は、このような点に鑑みなされたもので、複数の景品を迅速かつ正確に読み取ることができ、小形化もできる景品読取装置、およびこの景品読取装置を用いた景品交換システムを提供することを目的とする。
【課題を解決するための手段】
【０００８】
請求項１記載の景品読取装置は、価値情報が関連付けられた非接触ＩＣタグを備えた景品を読み取る景品読取装置であって、複数の景品を積層した積層状態で複数の景品の非接触ＩＣタグを一括して読み取る読取手段と、この読取手段による読取結果に基づいて、景品の種類および個数を算出する第１の景品情報算出手段とを具備しているものである。
【０００９】
そして、複数の景品を積層した積層状態で、読取手段によって複数の景品の非接触ＩＣタグを一括して読み取り、景品の種類および個数を求めることにより、複数の景品を迅速かつ正確に読み取れ、しかも、機械的な機構が必要なく、小形化が可能となる。
【００１０】
請求項２記載の景品読取装置は、請求項１記載の景品読取装置において、積層状態にある複数の景品の積層方向の総厚みを測定する測定手段と、この測定手段による測定結果に基づいて、景品の個数を算出する第２の景品情報算出手段と、第１の景品情報算出手段による景品の個数の算出結果と第２の景品情報算出手段による景品の個数の算出結果とを比較する算出結果比較手段と、この算出結果比較手段で比較結果が不一致である場合に、異常を報知する異常報知手段とを具備しているものである。
【００１１】
そして、測定手段によって積層状態にある複数の景品の積層方向の総厚みを測定し、この測定結果に基づいて景品の個数を算出し、読取手段の読み取りに基づく景品の個数と測定手段の測定に基づく景品の個数とを比較し、この比較結果が不一致である場合に異常を報知することにより、複数の景品に混入している不具合景品の有無の検知が可能となる。
【００１２】
請求項３記載の景品読取装置は、請求項２記載の景品読取装置において、異常時に、複数の景品の中から不具合景品を抽出する不具合抽出モードを有するチェック手段と、前記不具合抽出モードで抽出された不具合景品の種類および個数を、第１の景品情報算出手段で算出された景品の種類および個数に追加させる追加手段とを具備しているものである。
【００１３】
そして、異常時に、チェック手段の不具合抽出モードによって複数の景品の中から不具合景品を抽出することが可能となり、しかも、不具合景品が非接触ＩＣタグの不具合などが原因のときなどには、不具合抽出モードで抽出された不具合景品の種類および個数を、正常に読み取られた景品の種類および個数に追加させることが可能となる。
【００１４】
請求項４記載の景品交換システムは、請求項１ないし３いずれか記載の景品読取装置と、この景品読取装置で読み取った景品の価値情報に応じた現金を出金する現金出金装置と、前記景品読取装置および現金出金装置と通信して情報を管理する管理装置とを具備しているものである。
【００１５】
そして、景品読取装置で読み取った景品の価値情報に応じた現金を現金出金装置から出金して払い出し、迅速かつ正確な景品交換が可能となる。
【発明の効果】
【００１６】
請求項１記載の景品読取装置によれば、複数の景品を積層した積層状態で、読取手段によって複数の景品の非接触ＩＣタグを一括して読み取り、景品の種類および個数を求めることができるため、複数の景品を迅速かつ正確に読み取ることができ、しかも、機械的な機構が必要なく、小形化できる。
【００１７】
請求項２記載の景品読取装置によれば、請求項１記載の景品読取装置の効果に加えて、測定手段によって積層状態にある複数の景品の積層方向の総厚みを測定し、この測定結果に基づいて景品の個数を算出し、読取手段の読み取りに基づく景品の個数と測定手段の測定に基づく景品の個数とを比較し、この比較結果が不一致である場合に異常を報知するので、複数の景品に混入している不具合景品の有無を検知できる。
【００１８】
請求項３記載の景品読取装置によれば、請求項２記載の景品読取装置の効果に加えて、異常時に、チェック手段の不具合抽出モードによって複数の景品の中から不具合景品を抽出することができ、しかも、不具合景品が非接触ＩＣタグの不具合などが原因のときなどには、不具合抽出モードで抽出された不具合景品の種類および個数を、正常に読み取られた景品の種類および個数に追加させることができる。
【００１９】
請求項４記載の景品交換システムによれば、請求項１ないし３いずれか記載の景品読取装置で読み取った景品の価値情報に応じた現金を現金出金装置から出金して払い出すことができ、迅速かつ正確な景品交換ができる。
【発明を実施するための最良の形態】
【００２０】
以下、本発明の一実施の形態を図面を参照して説明する。
【００２１】
図５(a)は景品読取装置が読取対象とする非接触ＩＣタグを備えた景品の斜視図、図５(b)は非接触ＩＣタグの断面図を示す。
【００２２】
景品11は、略長方形で厚みが薄い板状に形成されていて、複数の種類に共通の形状寸法に形成されている。景品11の種類は、例えば、大景品、中景品、小景品があり、大景品は５０００円、中景品は２５００円、小景品は５００円の金額と対応している。この景品11の種類は、目視でも確認できるように、種類毎に外面の色が異ならせているとともに、金額情報などが印刷されて表示されている。
【００２３】
景品11は、非接触ＩＣタグ（RFID：Radio Frequency Identification）12を備えている。この非接触ＩＣタグ12は、ＩＣチップ13を有し、対応する所定のアンテナモジュール（図２に示すアンテナモジュール45）に近接した状態で、このアンテナモジュールから送信される無線電波を受信し、この受信した無線電波により動作用電力を起動させ、ＩＣチップ13に記憶されている情報に応じて変化させた反射波を発生させることにより、情報をアンテナモジュールで読み取れるようにしている。
【００２４】
非接触ＩＣタグ12は、シート状の表面基材14を有し、この表面基材14の裏面に、アンテナ回路15のパターンが金属ペーストなどによる印刷で直接形成されるとともに、アンテナ回路15を用いた無線通信や情報を記憶するＩＣチップ13が搭載されている。また、表面基材14の裏面には、ＩＣチップ13およびアンテナ回路15を覆う保護シート16が粘着材17により貼着されている。
【００２５】
そして、非接触ＩＣタグ12のＩＣチップ13に記録される情報には、例えば対象とする遊技店からの持ち込みなのか対象外の遊技店からの持ち込みなのかをチェックするための遊技店の店番号、コピーによる不正をチェックするために連番で付与されたＩＤ番号、５０００円／２５００円／５００円などの各金額情報、景品交換所での交換前なのか交換済みなのかの状態フラグなどがある。
【００２６】
次に、図１は景品読取装置の斜視図を示す。
【００２７】
景品読取装置21は、景品読取装置本体22を有し、この景品読取装置本体22には、複数の景品11を面積の広い主面に交差する方向である厚み方向に積層した状態でその積層方向を左右方向の横向きにして装填可能とする景品装填部23が形成されている。
【００２８】
この景品装填部23には、積層状態の複数の景品11を載置する載置台24が設けられている。この載置台24は、一端側である左側が低く、他端側である右側が高い傾斜面25に形成され、この傾斜面25の傾斜によって載置した景品11を左側に寄せることができる。載置台24の左側には壁部26が設けられ、この壁部26に一端側の景品11が接触する基準面27が形成されている。載置台24の右側には押さえ部材28が積層方向に沿って移動可能に配置されている。この押さえ部材28は、景品装填部23の後側で載置台24の傾斜面25と平行に斜めに架設されたガイド軸29によって移動可能に支持されており、手動でスライド操作可能としている。
【００２９】
景品装填部23の左側の壁部26の内部には、複数の景品11を積層状態で載置台24上に配置するとともに押さえ部材28で基準面27に押し付けた状態で、複数の景品11の非接触ＩＣタグ12を一括して読み取る読取手段30が配設されている。
【００３０】
押さえ部材28の内部には、図４に示すように、所定数の補償用モジュール31が内蔵されている。非接触ＩＣタグ12は、１つの場合にはアンテナモジュールによって規定の周波数で読み取ることができず、複数が集まった状態の場合にアンテナモジュールによって規定の周波数で読み取ることができる仕様になっている。そのため、補償用モジュール31は、景品装填部23に装填される景品11が１つの場合でも読み取ることができるように、例えば、景品11の１０枚分程度の非接触ＩＣタグの集合体で構成されている。なお、この補償用モジュール31分の読取結果は無効とする処理がなされるように構成されている。
【００３１】
押さえ部材28は、積層状態にある複数の景品11の積層方向の総厚みを測定する測定手段32の一部を構成している。この測定手段32は、押さえ部材28の移動に伴って例えばロータリーエンコーダなどがパルスを発生し、図４に示すように、押さえ部材28が基準面27に接触する位置を零点位置とし、押さえ部材28で載置台24上の景品11を基準面27に押し付けた位置における零点位置からのパルス数に基づいて景品11の積層方向の総厚みＬを検知する。
【００３２】
また、景品読取装置本体22の前側には操作パネル面33が配設され、この操作パネル面33には、表示部34、および操作部35が配設されている。表示部34は、計数結果の表示や、異常時の異常を示す表示をする。操作部35には、景品11の計数の開始を指示する計数開始ボタン36、および計数値を確定して現金の出金を指示する出金指示ボタン37が配設されている。
【００３３】
次に、図２に景品交換システムのブロック図を示す。
【００３４】
この景品交換システムは、景品11の情報を読み取る景品読取装置21と、現金を出金する現金出金装置41と、これら景品読取装置21および現金出金装置41を管理する管理装置42とで構成され、これらが互いに通信可能としている。景品読取装置21、現金出金装置41および管理装置42は景品交換所内に設置される。
【００３５】
景品読取装置21は、この景品読取装置21を制御する読取装置制御部44、表示部34、操作部35、補償用モジュール31、読取手段30のアンテナモジュール45、測定手段32の厚み検出部46、景品11の情報などや測定値などを記憶する記憶部47、現金出金装置41および管理装置42と通信する通信部48、景品読取装置21に電源を供給する電源部49を有している。読取手段30のアンテナモジュール45は、景品装填部23に装填された景品11の非接触ＩＣタグ12および押さえ部材28の補償用モジュール31の非接触ＩＣタグ群に無線電波を送信し、景品11の非接触ＩＣタグ12および補償用モジュール31の非接触ＩＣタグ群から情報を一括して読み取る機能を有している。測定手段32の厚み検出部46は、押さえ部材28が基準面27に接触する零点位置を基準とし、押さえ部材28の移動に伴って例えばロータリーエンコーダなどが発生するパルス数を加算または減算してカウントし、押さえ部材28で載置台24上の景品11を基準面27に押し付けた状態で計数開始ボタン36が押されたとき、パルス数に基づいて景品11の積層方向の総厚みＬを検知する機能を有している。
【００３６】
現金出金装置41は、この現金出金装置41を制御する現金出金装置制御部51、景品読取装置21および管理装置42と通信する通信部52、出金額などを表示する表示部53、紙幣を出金する紙幣処理部54、硬貨を出金する硬貨処理部55、現金出金装置41に電源を供給する電源部56を有している。硬貨処理部55は、景品を買い上げる最小単位が小景品の５００円であるために用いられるが、景品を買い上げる最小単位が１０００円以上の単位であれば用いなくてもよい。
【００３７】
管理装置42は、この管理装置42を制御する管理装置制御部58、各種情報を表示する表示部59、各種情報や設定事項などを入力操作する操作部60、景品読取装置21および現金出金装置41と通信する通信部61、履歴などを印字する印字部62、各種情報を記憶する記憶部63、管理装置42に電源を供給する電源部64を有している。
【００３８】
次に、図３に示すように、景品読取装置21の読取装置制御部44は、次の機能を有している。
【００３９】
読取手段30による読取結果に基づいて、景品11の種類および個数を算出する第１の景品情報算出手段71の機能。測定手段32による測定結果に基づいて、景品11の個数を算出する第２の景品情報算出手段72の機能。第１の景品情報算出手段71による景品11の個数の算出結果と第２の景品情報算出手段72による景品11の個数の算出結果とを比較する算出結果比較手段73の機能。算出結果比較手段73で比較結果が不一致である場合に、異常を報知させる異常報知手段74の機能。異常時に、複数の景品11の中から不具合景品を抽出する不具合抽出モードを有するチェック手段75の機能。不具合抽出モードで抽出された不具合景品の種類および個数を、第１の景品情報算出手段71で算出された景品11の種類および個数に追加させる追加手段76の機能を有している。
【００４０】
異常報知手段74は、表示部34を有し、この表示部34で異常を表示させる。また、スピーカなどの音発生手段を用いてもよい。
【００４１】
また、図９には、景品読取装置21の表示部34の表示形態を表示１〜７に示す説明図であり、表示部34には、景品11の種類に応じた大、中、小の個数表示項目と、景品11の金額表示項目とがある。
【００４２】
次に、本実施の形態の作用を説明する。
【００４３】
まず、計数処理について、図６のフローチャートおよび図９の表示部34の表示例を参照して説明する。なお、遊技客が大、中、小の景品11を複数個ずつ景品交換所に持ち込んだ場合を例に説明する。なお、景品読取装置21の記憶部47には、正当な景品に関する情報として、店番号やＩＤ番号（範囲指定）、１枚の景品の厚み寸法などが予め記憶（登録）されている。
【００４４】
景品交換所の窓口で、遊技客から複数の景品11を受け取った係員は、複数の景品11を厚み方向に積層した状態でその積層方向が基準面27と押さえ部材28とに対向する左右方向の横向きにして景品読取装置21の景品装填部23に装填し、押さえ部材28をスライドさせて景品11を基準面27に押し付ける（ステップ１）。
【００４５】
係員が計数開始ボタン36を押すことにより（ステップ２でＹＥＳ）、押さえ部材28の位置に基づいて、景品11の積層方向の総厚みを測定し、総厚みを１枚の景品の厚み寸法で除算することにより景品11の個数を算出する（ステップ３）。測定中は、表示部34の表示形態が「表示１」となって大、中、小の個数表示項目の一部が点滅し、測定中であることを表示する。
【００４６】
読取手段30のアンテナモジュール45で、景品装填部23に装填されている積層状態の景品11の非接触ＩＣタグ12の情報を一括して読み取る（ステップ４）。
【００４７】
読み取った景品11の非接触ＩＣタグ12の情報に基づいて、例えば他遊技店景品、交換済み景品、同一番号景品などの異常景品の有無を確認する（ステップ５）。
【００４８】
異常景品が確認されれば（ステップ５でＮＯ）、表示部34で異常を表示し、係員により異常対応処理をする（ステップ６）。
【００４９】
異常景品が確認されなければ（ステップ５でＹＥＳ）、景品11の非接触ＩＣタグ12の読取データから算出した景品11の個数と景品11の総厚みより算出した景品11の個数との一致、不一致を確認する（ステップ７）。
【００５０】
景品11の個数が不一致であれば（ステップ７でＮＯ）、表示部34の表示形態が「表示３」となって大、中、小の個数表示項目に現在読取可能な景品11の個数を点滅表示し、係員の操作により不一致時処理をする（ステップ８）。
【００５１】
景品11の個数が一致すれば（ステップ５でＹＥＳ）、表示部34の表示形態が「表示２−１」となって大、中、小の個数表示項目に読み取った景品11の個数を点灯表示する。
【００５２】
そして、係員が出金指示ボタン37を操作することにより（ステップ９）、表示部34の表示形態が「表示２−２」となって金額表示項目に合計金額を点灯表示し、その金額分の現金を現金出金装置41から出金させる（ステップ10）。
【００５３】
なお、フローチャートにおいて、計数の開始（ステップ２→３）や現金の払出（ステップ９→10）については、計数開始ボタン36や出金指示ボタン37が押下されないまま所定時間が経過した場合に、各指示を受けたものとみなして自動で実行するようにしてもよい。
【００５４】
次に、不一致時処理について、図７のフローチャートおよび図９の表示部34の表示例を参照して参照して説明する。
【００５５】
景品11の非接触ＩＣタグ12の読取データから算出した景品11の個数と景品11の総厚みより算出した景品11の個数とが不一致となったときには、表示部34の表示形態が「表示３」となって大、中、小の個数表示項目に現在読取可能な景品11の個数を点滅表示した状態となる。
【００５６】
係員が景品11を目視により確認したうえで、読取可能な景品11分のみを買い上げる場合には、その状態のまま出金指示ボタン37を例えば２秒などの所定時間以上継続して押す（ステップ11でＹＥＳ）。これにより、表示部34の表示形態が「表示４」となって、大、中、小の個数表示項目に点滅表示されていた現在読取可能な景品11の個数を点灯表示に切り換え、金額表示項目に現在読取可能な景品11の合計金額を点灯表示し、そして、その金額分の現金を現金出金装置41から強制的に出金させる（ステップ12）。
【００５７】
また、どの種類の景品11が不具合景品であるかを確認する場合には、計数開始ボタン36を例えば２秒などの所定時間以上継続して押すことにより（ステップ13でＹＥＳ）、チェックモード処理へ移行する（ステップ14）。
【００５８】
なお、異常景品がある場合の異常対応処理も、不一致時処理と同様に処理してもよい。
【００５９】
次に、チッェクモード処理について、図８のフローチャートおよび図９の表示部34の表示例を参照して参照して説明する。このチッェクモード処理には、どの種類に不一致景品があるか確認するチェックモード処理１と、どの景品11が不一致景品であるかを特定するチェックモード処理２とがある。
【００６０】
チェックモード処理１では、チェックモード処理に移行すると、表示部34の表示形態が「表示５」となって、大景品の個数表示項目の一部を点滅表示し、大景品を装填してチェックするように表示する（ステップ21）。
【００６１】
係員は、景品読取装置21の景品装填部23から全ての景品11を一旦取り出し、大、中、小の種類別に景品11を区分した後、大景品のみを景品読取装置21の景品装填部23に装填し、押さえ部材28をスライドさせて大景品を基準面27に押し付ける。
【００６２】
係員が計数開始ボタン36を押すことにより、押さえ部材28の位置に基づいて、大景品の積層方向の総厚みを測定し、測定結果に基づいて大景品の個数を算出する。同時に、読取手段30のアンテナモジュール45で、景品装填部23に装填されている大景品の非接触ＩＣタグ12の情報を一括して読み取る。
【００６３】
大景品の非接触ＩＣタグ12の読取データから算出した大景品の個数と大景品の総厚みより算出した大景品の個数との一致、不一致を確認する（ステップ22）。
【００６４】
大景品の個数が不一致であれば（ステップ22でＮＯ）、表示部34の表示形態が「表示６」となって、大景品の個数表示項目に現在読取可能な大景品の個数を点滅表示し、金額表示項目に不足個数を点滅表示する（ステップ23）。
【００６５】
係員が大景品を目視により確認したうえで、例えば不具合景品が非接触ＩＣタグ12の不具合などが原因で、正規の大景品であることが確認されれば、計数開始ボタン36を押すことにより（ステップ24）、不具合抽出モードで抽出された不具合景品の個数を、正常に読み取られた大景品の個数に追加させる（ステップ25）。このとき、表示部34の表示形態が「表示７」となって、大景品の個数表示項目に追加した総個数を点灯表示し、金額表示項目に表示していた不足個数を消灯し、次に処理すべき中景品の個数表示項目の一部を点滅表示する。
【００６６】
また、大景品の個数が一致した場合（ステップ22でＹＥＳ）、大景品の処理が完了した場合には、この大景品と同様に、続けて中景品、小景品を順に処理する（ステップ26）。
【００６７】
そして、全ての種類の処理が完了した後、出金指示ボタン37を押すことにより（ステップ27）、その金額分の現金を現金出金装置41から出金させる（ステップ28）。
【００６８】
なお、異常景品がどの種類にあるかを確認する場合にも、不具合景品と同様にチェックモード処理１で処理できる。
【００６９】
次に、チェックモード処理２では、係員が、景品読取装置21の景品装填部23から全ての景品11を一旦取り出し、複数に分割しながら計数処理をして不具合景品を特定する。
【００７０】
例えば、複数の景品11を２分割し、一方の景品11群を景品読取装置21の景品装填部23に装填して計数処理する。一方の景品11群に不具合景品が混入していなければ、他方の景品11群を景品読取装置21の景品装填部23に装填して計数処理する。他方の景品11群に不具合景品が混入していれば、他方の景品11群をさらに分割して計数処理する。このようにして、最後の１つまで計数処理を繰り返して不具合景品を特定する。
【００７１】
なお、異常景品（店番号違いなど）を特定する場合にも、不具合景品と同様にチェックモード処理２で処理できる。
【００７２】
以上のように、景品読取装置21では、複数の景品11を積層した積層状態で、読取手段30によって複数の景品11の非接触ＩＣタグ12を一括して読み取り、景品11の種類および個数を求めることができるため、複数の景品11を迅速かつ正確に読み取ることができ、しかも、機械的な機構が必要なく、小形化できる。
【００７３】
しかも、測定手段32によって積層状態にある複数の景品11の積層方向の総厚みを測定し、この測定結果に基づいて景品11の個数を算出し、読取手段30の読み取りに基づく景品11の個数と測定手段32の測定に基づく景品11の個数とを比較し、この比較結果が不一致である場合に異常を報知するので、複数の景品11に混入している不具合景品の有無を検知できる。
【００７４】
さらに、異常時に、不具合抽出モードによって複数の景品11の中から不具合景品を抽出することができ、しかも、不具合景品が非接触ＩＣタグ12の不具合などが原因のときなどには、不具合抽出モードで抽出された不具合景品の種類および個数を、正常に読み取られた景品11の種類および個数に追加させることができる。
【００７５】
なお、景品読取装置21の景品11の積層方向は、左右の横方向に限らず、上下方向でもよい。
【００７６】
また、不一致時処理やチェックモード処理において、景品読取装置21の計数開始ボタン36や出金指示ボタン37を２秒以上押下させたが、上位の管理装置42からのコマンドによって処理を進めるようにしてもよい。
【図面の簡単な説明】
【００７７】
【図１】本発明の一実施の形態を示す景品読取装置の斜視図である。
【図２】同上景品読取装置を用いた景品交換システムのブロック図である。
【図３】同上景品読取装置の読取装置制御部の機能を示すブロック図である。
【図４】同上景品読取装置における積層状態にある複数の景品の積層方向の総厚みを測定する測定方法の説明図である。
【図５】同上景品読取装置が読取対象とする景品および非接触ＩＣタグを示し、(a)は非接触ＩＣタグを備えた景品の斜視図、(b)は非接触ＩＣタグの断面図である。
【図６】同上景品読取装置の計数処理のフローチャートである。
【図７】同上景品読取装置の不一致時処理のフローチャートである。
【図８】同上景品読取装置のチェックモード時のフローチャートである。
【図９】同上景品読取装置の表示部の表示形態を表示１〜７に示す説明図である。
【符号の説明】
【００７８】
11    景品
12    非接触ＩＣタグ
21    景品読取装置
30    読取手段
32    測定手段
41    現金出金装置
42    管理装置
71    第１の景品情報算出手段
72    第２の景品情報算出手段
73    算出結果比較手段
74    異常報知手段
75    チェック手段
76    追加手段
【図１】
2006212260.tif 000003
【図２】
2006212260.tif 000004
【図３】
2006212260.tif 000005
【図４】
2006212260.tif 000006
【図５】
2006212260.tif 000007
【図６】
2006212260.tif 000008
【図７】
2006212260.tif 000009
【図８】
2006212260.tif 000010
【図９】
2006212260.tif 000011